(57)【要約】【課題】  気流の通過流量の低下を最小限に抑えつつ、通風口を通過する気流中の水滴を効果的に回収することができる水分回収装置及びこれを用いた移動式気象体験装置を提供することを目的とする。【解決手段】  体験室３内に気流を発生させる送風装置及び体験室３内に水を散布する散水装置を有する移動式気象体験装置において、体験室３に通風口１７を設ける。この通風口１７に、フレーム３２と、フレーム３２に対して、上下方向に列状にしてかつ互いの間に隙間をあけて複数設けられる羽板３３とを有する水分回収装置３１を設ける。各羽板３３を、通風口１７の下流側に位置する端部３６ａが通風口１７の上流側に位置する端部３６ｂに対して上方に位置するように水平面に対して傾斜させて設けられる板状の羽板本体３６と、羽板本体３６の下流側の端部３６ａに羽板本体３６の上面３６ａよりも突出した状態にして設けられるリップ３７とを有する構成とする。【選択図】      図３
2005172876.tif 000002
【特許請求の範囲】
【請求項１】
通風口を通過する気流中に含まれる水分を回収する水分回収装置であって、
前記通風口の上下方向に列状にしてかつ互いの間に隙間をあけて複数設けられる羽板を有し、
これら各羽板は、前記通風口の下流側の端部が前記通風口の上流側の端部に対して上方に位置するように水平面に対して傾斜させて設けられる板状の羽板本体と、
該羽板本体の前記下流側の端部に前記羽板本体の上面よりも突出した状態にして設けられるリップとを有することを特徴とする水分回収装置。
【請求項２】
前記リップは、前記羽板本体との接続部側から先端に向かうにつれて前記羽板本体の前記上端部側に近付くように傾斜させて設けられていることを特徴とする請求項１記載の水分回収装置。
【請求項３】
前記各羽板は、前記通風口の通気方向に直交する水平軸線回りに揺動可能とされていることを特徴とする請求項１または２に記載の水分回収装置。
【請求項４】
前記各羽板は、前記水平軸線回りに揺動することで上方に位置する羽板に当接可能とされていることを特徴とする請求項３に記載の水分回収装置。
【請求項５】
前記各羽板は、前記水平軸線回りに揺動することで上方に位置する羽板に対して前記リップを当接可能とされており、
該リップは、少なくともその先端部が、弾性体によって構成されていることを特徴とする請求項４に記載の水分回収装置。
【請求項６】
前記羽板本体とリップとのうちの少なくともいずれか一方は、表面に微細な凹凸が形成されていることを特徴とする請求項１から５のいずれかに記載の水分回収装置。
【請求項７】
前記羽板本体とリップとのうちの少なくともいずれか一方を冷却する冷却装置を有していることを特徴とする請求項１から６のいずれかに記載の水分回収装置。
【請求項８】
送風装置及び散水装置によって体験室内で暴風雨を演出して体験者に暴風雨を体験させる移動式気象体験装置であって、
前記散水装置は、前記体験室内に散布した水を回収して再利用する構成とされており、
前記体験室には、前記送風装置の発生させる気流の下流側に通風口が設けられており、
該通風口には、請求項１から７のいずれかに記載の水分回収装置が設けられていることを特徴とする移動式気象体験装置。
【発明の詳細な説明】
【技術分野】
【０００１】
本発明は、水分回収装置及び移動式気象体験装置に関するものである。
【背景技術】
【０００２】
人工的に気象条件を演出して体験者にさまざまな気象を体験させる移動式気象体験装置として、車両等によって所望の場所に移動可能な移動式気象体験装置がある。
このような移動式気象体験装置としては、例えば、後記の特許文献１に記載の降雨体験装置がある。この降雨体験装置は、降雨を再現する体験室を含めた装置一式を車両に搭載してなるものであって、体験室内に水を噴霧する噴霧装置を有している。
また、この降雨体験装置は、床に落下した水を回収する排水回収手段を有しており、噴霧装置から散布した水を再利用することができるようになっている。
【０００３】
【特許文献１】特開平１１−２５８９７２号公報（段落［００１０］〜［００２４］，及び図１、図１０）
【発明の開示】
【発明が解決しようとする課題】
【０００４】
このような移動式気象体験装置において、降雨だけでなく、暴風も同時に再現する場合には、体験室内に送風装置が用いられる。
しかし、体験室を密室とした場合、送風装置が発生させた気流は体験室内にこもってしまうので、送風効率が悪く、所望の風速を得るためには、開放空間で必要な動力よりも余分に動力が必要であった。
一方、体験室を開放空間としたり、通風口を有する構成とした場合には、噴霧装置から散布された水の一部が、送風装置が発生させた気流に乗って体験室外に排出されてしまうため、排水回収手段による水の回収率が低下してしまう。移動式気象体験装置では、搭載可能な水の量に限度があるので、このように水の回収率が低いと、降雨を演出することができる時間が短くなってしまう。
【０００５】
本発明は、このような事情に鑑みてなされたものであって、気流の通過流量の低下を最小限に抑えつつ、通風口を通過する気流中の水滴を効果的に回収することができる水分回収装置及びこれを用いた移動式気象体験装置を提供することを目的とする。
【課題を解決するための手段】
【０００６】
上記課題を解決するために、本発明の水分回収装置及び移動式気象体験装置は以下の手段を採用する。
すなわち、本発明にかかる水分回収装置は、通風口を通過する気流中に含まれる水分を回収する水分回収装置であって、前記通風口の上下方向に列状にしてかつ互いの間に隙間をあけて複数設けられる羽板を有し、これら各羽板は、前記通風口の下流側の端部が前記通風口の上流側の端部に対して上方に位置するように水平面に対して傾斜させて設けられる板状の羽板本体と、該羽板本体の前記下流側の端部に前記羽板本体の上面よりも突出した状態にして設けられるリップとを有することを特徴とする水分回収装置。
【０００７】
このように構成される水分回収装置が設けられる通風口に流れ込んだ気流は、水分回収装置の各羽板の間の隙間を通過して、通風口の下流側に流れ込む。
各羽板を構成する羽板本体は、上流側の端部に対して下流側の端部が上方に位置するように、水平面に対して傾斜させて設けられているので、水分回収装置内に流れ込んだ気流は、各羽板の羽板本体の上面に当たり、その流れの向きが、上面に沿って上昇する向きに変えられる。このため、この気流中に含まれる水滴は、慣性力によって羽板本体に当たり、羽板本体に付着する。
そして、羽板本体の上面に沿って上昇した気流は、羽板本体の上面よりも突出するリップに当たり、その流れの向きが、リップを迂回する向きに変えられる。このため、この気流中に含まれる水滴は、慣性力によってリップに当たり、リップに付着する。
これら羽板本体及びリップに付着した水滴は、重力の作用によってリップや羽板本体を伝って羽板本体の上流側の端部（すなわち下端部）まで流れ落ち、通風口の上流側に落下する。
【０００８】
このように、この水分回収装置では、通風口を通過する気流の向きを変えることによって気流中の水滴を捕集するので、通風口を通過する気流に対する抵抗が少なく、通風口を通過する気流の流量の低下を最小限に抑えつつ、通風口を通過する気流中の水滴を効果的に回収することができる。
また、各羽板の構造は単純であるので、水分回収装置が小型、軽量で済み、また製造コストが安価で済む。
そして、通風口を通過する気流に対する抵抗が少ないので、気流の通過によって生じる騒音も少ない。
【０００９】
この水分回収装置において、前記リップは、前記羽板本体との接続部側から先端に向かうにつれて前記羽板本体の前記上端部側に近付くように傾斜させて設けられていてもよい。
【００１０】
この場合には、羽板本体の上面に沿って流れる気流に対してリップが傾斜しているので、通風口を通過する気流に対する抵抗が少ない。
【００１１】
また、前記各羽板は、前記通風口の通気方向に直交する水平軸線回りに揺動可能とされていてもよい。
【００１２】
この場合には、各羽板を水平軸線回りに揺動させることで、各羽板同士の間隔や、羽板本体の傾斜角度を調整することができる。
例えば、羽板本体の水平面に対する傾斜角度を大きくすることで、羽板本体による気流の向きの変更角度が大きくなり、通風口を通過する気流中に含まれる水滴をより効果的に回収することができる。
また、羽板本体の水平面に対する傾斜角度を小さくすることで、通風口を通過する気流に対する抵抗が少なくなる。
【００１３】
また、前記各羽板は、前記水平軸線回りに揺動することで上方に位置する羽板に当接可能とされていてもよい。
【００１４】
この場合には、各羽板を、上方に位置する羽板に当接させることで、通風口を閉塞することができ、通風口の下流側からの雨風等の侵入を防止することができる。
【００１５】
また、各羽板は、前記水平軸線回りに揺動することで上方に位置する羽板に対して前記リップを当接可能とされており、該リップは、少なくともその先端部が、弾性体によって構成されていてもよい。
【００１６】
この場合には、羽板同士を接触させた状態では、弾性体からなるリップを上方の羽板に当接させることで、リップが弾性変形して上方の羽板に対して密着して、これら羽板同士の間のシール材として作用するので、通風口の下流側からの雨風等の侵入を、より効果的に防止することができる。
【００１７】
また、前記羽板本体とリップとのうちの少なくともいずれか一方は、表面に微細な凹凸が形成されていてもよい。
【００１８】
この場合には、気流中の水滴の捕集効果が高くなり、水滴の回収効率が向上する。
【００１９】
また、前記羽板本体とリップとのうちの少なくともいずれか一方を冷却する冷却装置を有していてもよい。
【００２０】
この場合には、羽板本体とリップとのうちの少なくともいずれか一方が、冷却装置によって冷却されるので、羽板本体やリップに接触した気流に含まれる水蒸気が凝集して水滴となる。
これにより、気流中の水滴だけでなく、水蒸気まで捕集することができ、水分の回収効率が向上する。
【００２１】
本発明にかかる移動式気象体験装置は、送風装置及び散水装置によって体験室内で暴風雨を演出して体験者に暴風雨を体験させる移動式気象体験装置であって、前記散水装置は、前記体験室内に散布した水を回収して再利用する構成とされており、前記体験室には、前記送風装置の発生させる気流の下流側に通風口が設けられており、該通風口には、請求項１から７のいずれかに記載の水分回収装置が設けられていることを特徴とする。
【００２２】
このように構成される移動式気象体験装置では、体験室において送風装置の発生させる気流の下流側に、通風口が設けられているので、送風装置によって暴風を演出した際に、送風装置が発生させた気流が体験室内にこもらず、通風口を通じて速やかに体験室外に排出される。
このように、この移動式気象体験装置では、体験室内に送風装置から通風口に向かうスムーズな気流が形成されるので、通風口を設けていない場合に比べて送風装置の負担が少なくて済む。これにより、この移動式気象体験装置では、送風装置としてより小型のものを用いることができる。
【００２３】
さらに、この通風口には、請求項１から７のいずれかに記載の水分回収装置が設けられていて、散水装置によって降雨を演出した際の、通風口を通じた水分の排出量が極力抑えられるので、散水装置が散布した水の回収効率が高い。
このため、この移動式気象体験装置では、水分回収装置を設けていない場合に比べて、散水装置の稼働可能時間をより長くするか、もしくは、散水装置が使用する水を蓄えておくための貯水設備としてより小型のものを用いることができる。
【発明の効果】
【００２４】
本発明にかかる水分回収装置によれば、通風口を通過する気流の流量の低下を最小限に抑えつつ、通風口を通過する気流中の水滴を効果的に回収することができる。
また、各羽板の構造は単純であるので、水分回収装置が小型、軽量で済み、また製造コストが安価で済む。
そして、通風口を通過する気流に対する抵抗が少ないので、気流の通過によって生じる騒音も少ない。
【００２５】
本発明にかかる移動式気象体験装置では、気流の通過流量の低下を最小限に抑えつつ、通風口を通過する気流中の水滴を効果的に回収することができる。
また、この移動式気象体験装置では、送風装置としてより小型のものを用いることができる。
さらに、この移動式気象体験装置では、散水装置が散布した水の回収効率が高いので、散水装置の稼働可能時間をより長くするか、もしくは、散水装置が使用する水を蓄えておくための貯水設備としてより小型のものを用いることができる。
【発明を実施するための最良の形態】
【００２６】
以下に、本発明にかかる実施形態について、図面を参照して説明する。
［第一実施形態］
以下、本発明の第一実施形態について、図１から図４を用いて説明する。
図１に示すように、本実施形態にかかる移動式気象体験装置１は、車両２と、車両２の荷台上に設置される体験室３と、体験室３内に気流を発生させる送風装置４と、体験室３内に水を散布する散水装置５とを有している。
【００２７】
移動式気象体験装置１は、車両２を移動させることによって、所望の場所に移動させることができるものである。
また、移動式気象体験装置１を構成する部材のうち、体験室３外に張り出す部材及び体験室３の一部は、車両２の移動時には体験室３内に収納可能な構成とされている。
【００２８】
図２に示すように、体験室３は、車両２の荷台上に設けられた床部１１と、床部１１の周縁から上方に立ち上げられる壁部１２と、壁部１２の上部に設けられる天井部１３とを有する箱形状をなしている。
体験室３の床部１１は、全面もしくは一部に透水部が設けられる床面１１ａと、床面Ｆの下方で床面Ｆから落下した水滴を回収する回収パン１１ｂとを有している。
ここで、床面１１ａの透水部は、すのこや格子等、体験者Ｈの歩行に支障のない程度の大きさの開口部を有する構造とされる。
体験室３の一壁部１２ａには、送風装置４が発生させた気流を取り入れる取入口１６が設けられており、体験室３において一壁部１２ａに対向する壁部１２ｂには、通風口１７が設けられている。
【００２９】
送風装置４としては、例えば電動ファンが用いられる。
散水装置５は、貯水タンク２１と、貯水タンク２１内の水を圧送するポンプ２２と、天井部１３に設けられてポンプ２２から水を供給される複数の散水ノズル２３とを有している。
貯水タンク２１には、回収パン１１ｂに回収された水が送り込まれるようになっている。すなわち、散水装置５は、散布した水を回収して再利用する構成とされている。
ここで、貯水タンク２１から散水ノズル２３までの水の流通経路上には、濾過装置２４が設けられており、散水ノズル２３からは清浄な水が散布されるようになっている。
【００３０】
体験室３において、壁部１２ｂの通風口１７には、通風口１７を通過する気流中に含まれる水分を回収する水分回収装置３１が設けられている。
水分回収装置３１は、通風口１７の周縁部に沿って設けられるフレーム３２と、フレーム３２に対して、上下方向に列状にしてかつ互いの間に隙間をあけて複数設けられる羽板３３とを有している。
各羽板３３は、通風口１７の下流側に位置する端部３６ａが通風口１７の上流側に位置する端部３６ｂに対して上方に位置するように水平面に対して傾斜させて設けられる板状の羽板本体３６と、羽板本体３６の下流側の端部３６ａ（すなわち上端部）に羽板本体３６の上面３６ａよりも突出した状態にして設けられるリップ３７とを有している。
【００３１】
各羽板３３は、通風口１７の通気方向に直交する水平軸線回りに揺動可能とされており、水平軸線回りに揺動することで、上方に位置する羽板３３に対してリップ３７を当接可能とされている。
また、水分回収装置３１には、各羽板３３の前記水平軸線回りの揺動を同期させる同期装置（図示せず）が設けられており、この同期装置を、手動または駆動装置によって動作させることで、全ての羽板３３の向きを同期させて変更することができるようになっている。
ここで、最上部に位置する羽板３３は、水平軸線回りに揺動することで、フレーム１７の上辺に対してリップ３７を当接可能とされており、最下部に位置する羽板３３は、水平軸線回りに揺動することで、フレーム１７の下辺に対して上流側の端部３６ｂ（すなわち下端部）を当接可能とされている。
【００３２】
各羽板本体３６は、フレーム３２のほぼ全幅にわたって設けられるものであって、図４に示すように、通風口１７の上流側の端部３６ｂ及び下流側の端部３６ａが曲面状に面取りされた平板形状をなしている。
各羽板３３は、水平軸線方向の両端部にそれぞれ設けられる被支持部３３ａを、前記水平軸線回りに回転可能にしてフレーム３２に支持されている。
この被支持部３３ａは、例えば、羽板本体３６の前記水平軸線方向の一端面及び他端面に設けられる突起によって構成されていてもよく、また、羽板本体３６に前記水平軸線方向の一端から他端側まで挿通されるシャフトの両端部によって構成されていてもよい。
また、羽板本体３６における被支持部３３ａの位置は、前記水平軸方向の一端面と他端面とで同一であれば、任意の位置に設けることができる。本実施の形態では、非支持部３３ａは、羽板本体３６において上流側の端部３６ｂと下流側の端部３６ａとの中間位置に設けている。
【００３３】
リップ３７は、羽板本体３６との接続部側から先端に向かうにつれて羽板本体３６の上端部側に近付くように傾斜させて設けられている。また、リップ３７は、少なくともその先端部が、ラバー等の弾性体によって構成されている。
【００３４】
また、羽板本体３６とリップ３７とのうちの少なくともいずれか一方は、表面に微細な凹凸が形成されている。この凹凸は、例えば、羽板本体３６やリップ３７に梨地加工を施すことによって得られる。本実施の形態では、図示しないが、羽板本体３６とリップ３７との両方の表面に、凹凸が形成されている。
【００３５】
このように構成される移動式気象体験装置１は、送風装置４を作動させることで体験室３内で暴風を演出し、散水装置５を作動させることで体験室３内で降雨を演出する。
ここで、この移動式気象体験装置１では、送風装置４を作動させる場合には、通風口１７に設けられる水分回収装置３１の各羽板３３の前記水平軸線回りの向きを調節して、図３（ａ）に示すように、各羽板３３間、最上部の羽板３３とフレーム３２の上辺との間、及び最下部の羽板３３とフレーム３２の下辺との間に隙間を形成して、通風口１７を開放しておく。
【００３６】
この移動式気象体験装置１では、体験室３において送風装置４の発生させる気流の下流側に、通風口１７が設けられているので、送風装置４によって暴風を演出した際に、送風装置４が発生させた気流が体験室内にこもらず、通風口１７を通じて速やかに体験室３外に排出される。
このように、この移動式気象体験装置１では、体験室３内に送風装置４から通風口１７に向かうスムーズな気流が形成されるので、通風口１７を設けていない場合に比べて送風装置４の負担が少なくて済む。これにより、この移動式気象体験装置１では、送風装置４としてより小型のものを用いることができる。
【００３７】
一方、この移動式気象体験装置１では、送風装置４と散水装置５とを同時に作動させる場合には、水分回収装置３１の各羽板３３を構成する羽板本体３６は、上流側の端部３６ｂに対して下流側の端部３６ａが上方に位置するように、水平面に対して傾斜させておく。これにより、通風口１７を通過する気流中から、水分が回収されるようになっている。
以下、水分回収装置３１の作用について具体的に説明する。
【００３８】
通風口１７に流れ込んだ気流は、水分回収装置３１の各羽板３３の間の隙間を通過して、通風口１７の下流側に流れ込む。
各羽板３３を構成する羽板本体３６は、上流側の端部３６ｂに対して下流側の端部３６ａが上方に位置するように、水平面に対して傾斜させて設けられているので、水分回収装置内に流れ込んだ気流は、各羽板３３の羽板本体３６の上面に当たり、その流れの向きが、上面に沿って上昇する向きに変えられる。このため、この気流中に含まれる水滴は、慣性力によって羽板本体３６に当たり、羽板本体３６に付着する。
そして、羽板本体３６の上面に沿って上昇した気流は、羽板本体３６の上面よりも突出するリップ３７に当たり、その流れの向きが、リップ３７を迂回する向きに変えられる。このため、この気流中に含まれる水滴は、慣性力によってリップ３７に当たり、リップ３７に付着する。
ここで、羽板本体３６及びリップ３７は、その表面に微細な凹凸が形成されているので、気流中の水滴の捕集効果が高く、水滴の回収効率が高い。
【００３９】
これら羽板本体３６及びリップ３７に付着した水滴は、重力の作用によってリップ３７や羽板本体３６を伝って羽板本体３６の上流側の端部３６ｂまで流れ落ち、通風口１７の上流側、すなわち体験室３内側に落下する。
このため、この移動式気象体験装置１では、通風口１７を通じた水分の排出量が極力抑えられるので、散水装置５が散布した水の回収効率が高く、水分回収装置３１を設けていない場合に比べて、散水装置５の稼働可能時間をより長くするか、もしくは、散水装置５が使用する水を蓄えておくための貯水タンク２１としてより小型のものを用いることができる。
【００４０】
さらに、上記のように、この水分回収装置３１では、通風口１７を通過する気流の向きを変えることによって気流中の水滴を捕集するので、通風口１７を通過する気流に対する抵抗が少なく、通風口１７を通過する気流の流量の低下を最小限に抑えつつ、通風口１７を通過する気流中の水滴を効果的に回収することができる。
本実施の形態では、リップ３７は、羽板本体３６との接続部側から先端に向かうにつれて羽板本体３６の下流側の端部３６ａ側に近付くように傾斜させて設けられている。すなわち、羽板本体３６の上面に沿って流れる気流に対してリップ３７が下流側に傾斜しているので、通風口１７を通過する気流に対する抵抗が少ない。
これにより、この移動式気象体験装置１では、送風装置４の負担がより少なくて済み、気流の通過によって生じる騒音も少ない。
【００４１】
そして、各羽板３３の構造は単純であるので、水分回収装置３１が小型、軽量で済み、製造コストも安価で済む。
【００４２】
また、この水分回収装置３１では、各羽板３３の前記水平軸線回りの向きを調整することで、各羽板３３同士の間隔や、羽板本体３６の傾斜角度を調整することができる。
例えば、羽板本体３６の水平面に対する傾斜角度を大きくすることで、羽板本体３６による気流の向きの変更角度が大きくなり、通風口１７を通過する気流中に含まれる水滴をより効果的に回収することができる。
また、羽板本体３６の水平面に対する傾斜角度を小さくすることで、通風口１７を通過する気流に対する抵抗が少なくなる。
【００４３】
ここで、この移動式気象体験装置１では、送風装置４を作動させない場合には、各羽板３３の前記水平軸線回りの向きを変えて、図３（ｂ）に示すように、各羽板３３によって通風口１７を閉塞することで、通風口１７の下流側からの雨風等の侵入を防止することができる。
さらに、各羽板３３のリップ３７は、先端部が弾性体によって構成されているので、羽板３３同士を接触させた状態では、弾性体からなるリップ３７を上方の羽板３３またはフレーム３２の上辺に当接させることで、リップ３７が弾性変形して上方の羽板３３またはフレーム３２に対して密着して、これら羽板３３同士の間のシール材として作用するので、通風口１７の下流側からの雨風等の侵入を、より効果的に防止することができる。
【００４４】
［第二実施形態］
次に、本発明の第二実施形態について、図５を用いて説明する。
本実施形態にかかる移動式気象体験装置は、第一実施形態に示す移動式気象体験装置１において、水分回収装置３１を設ける代わりに、本実施形態にかかる水分除去装置５１を設けたことを主たる特徴とするものである。
以下、第一実施形態に示す移動式気象体験装置１と同様または同一の構成については同じ符号を用いて示し、詳細な説明を省略する。
【００４５】
本実施形態にかかる水分回収装置５１は、第一実施形態に示す水分回収装置３１において、羽板本体３６とリップ３７とのうちの少なくともいずれか一方を冷却する冷却装置５２を設けたことを主たる特徴とするものである。
本実施の形態では、冷却装置５２は、羽板本体３６内に、体験室３内の雰囲気温度よりも低温の冷媒を循環させる冷媒供給装置５３を接続した構成とされている。
【００４６】
本実施形態にかかる水分回収装置５１では、羽板本体３６及びリップ３７が、冷却装置５１によって冷却されるので、羽板本体３６やリップ３７に接触した気流に含まれる水蒸気が凝集して水滴となる。
これにより、通風口１７を通過する気流中の水滴だけでなく、水蒸気まで捕集することができ、水分の回収効率が向上する。
【図面の簡単な説明】
【００４７】
【図１】本発明の第一実施形態にかかる移動式気象体験装置の構成を示す俯瞰図である。
【図２】本発明の第一実施形態にかかる移動式気象体験装置の構成を概略的に示す縦断面図である。
【図３】本発明の第一実施形態にかかる水分回収装置の構成を概略的に示す縦断面図である。
【図４】本発明の第一実施形態にかかる水分回収装置を構成する羽板の構成を概略的に示す縦断面図である。
【図５】本発明の第二実施形態にかかる水分回収装置の構成を概略的に示す図である。
【符号の説明】
【００４８】
１  移動式気象体験装置
３  体験室
４  送風装置
５  散水装置
１７  通風口
３１、５１  水分回収装置
３３  羽板
３６  羽板本体
３７  リップ
５２  冷却装置
【図１】
2005172876.tif 000003
【図２】
2005172876.tif 000004
【図３】
2005172876.tif 000005
【図４】
2005172876.tif 000006
【図５】
2005172876.tif 000007